(57)【要約】【課題】災害情報等の速報情報を含まないコンテンツの再生中であっても速報情報をユーザーに提供可能な技術を得る。【解決手段】コンテンツ再生処理装置２０は主コンテンツ処理手段２００と速報情報処理手段３００と合成手段４００とを含む。手段２００は、再生対象コンテンツ１０２をコンテンツ源１００から取得し、コンテンツ１０２を再生して主コンテンツ１０４として出力する。手段３００は、コンテンツ１０２に含まれない速報情報を含んだ速報供給データ１３２を速報情報源１３０から取得し、速報供給データ１３２から速報情報を抽出し、速報情報を速報コンテンツ１３８として出力する。手段４００は、速報コンテンツ１３８が入力された場合は速報コンテンツ１３８を主コンテンツ１０４に合成して合成コンテンツ１９０を出力し、速報コンテンツ１３８が入力されていない場合は主コンテンツ１０４を出力する。【選択図】図１
2012244200.tif 000002
【特許請求の範囲】
【請求項１】
再生対象のコンテンツをコンテンツ源から取得し、取得した前記コンテンツを再生して主コンテンツとして出力する主コンテンツ処理手段と、
前記再生対象コンテンツに含まれない速報情報を含んだ速報供給データを速報情報源から取得し、取得した前記速報供給データから前記速報情報を所定の抽出処理によって抽出し、抽出した前記速報情報を速報コンテンツとして出力する速報情報処理手段と、
前記速報情報処理手段から前記速報コンテンツが入力された場合には前記速報コンテンツを前記主コンテンツに合成し、得られた合成コンテンツを出力する一方で、前記速報コンテンツが入力されていない場合には前記主コンテンツを出力する合成手段と
を備えるコンテンツ再生処理装置。
【請求項２】
請求項１に記載のコンテンツ再生処理装置であって、
前記速報情報源は、インターネット上に公開された１つまたは複数のウェブサイトであり、
前記速報情報処理手段は、前記１つまたは複数のウェブサイトから前記速報供給データを取得する、
コンテンツ再生処理装置。
【請求項３】
請求項１または請求項２に記載のコンテンツ再生処理装置であって、
前記主コンテンツ処理手段が取得する前記再生対象コンテンツには、前記速報情報源として利用可能な所定の放送事業者が予め関連付けられており、
前記速報情報処理手段は、前記所定の放送事業者による放送を前記速報供給データとして利用する、
コンテンツ再生処理装置。
【請求項４】
請求項３に記載のコンテンツ再生処理装置であって、
前記所定の放送事業者が送信する前記放送は、文字スーパー用のパケットを含み、
前記速報情報処理手段は、前記文字スーパー用パケットから前記速報情報を抽出する、
コンテンツ再生処理装置。
【請求項５】
請求項３または請求項４に記載のコンテンツ再生処理装置であって、
前記所定の放送事業者が送信する前記放送は、テロップが重畳された映像を含み、
前記速報情報処理手段は、前記テロップの文字列を前記速報情報として抽出する、
コンテンツ再生処理装置。
【請求項６】
請求項１ないし請求項５のうちのいずれか１項に記載のコンテンツ再生処理装置であって、
前記速報コンテンツに含まれる文字列を音声コンテンツに変換して出力する音声合成手段と、前記速報情報処理手段から前記速報コンテンツが出力されるのに合わせて、予め内蔵された音声コンテンツを出力する内蔵音声供給手段と、のうちの少なくとも一方の手段を含む音声追加手段をさらに備え、
前記合成手段は、前記音声追加手段から出力される前記音声コンテンツと、前記主コンテンツと、前記速報コンテンツとを合成する、
コンテンツ再生処理装置。
【請求項７】
請求項１ないし請求項６のうちのいずれか１項に記載のコンテンツ再生処理装置と、
前記コンテンツ再生処理装置から出力される前記主コンテンツおよび前記合成コンテンツを、当該システムのユーザーが視覚と聴覚のうちの少なくとも一方で感知可能な形式で以て出力するコンテンツ出力装置と
を備えるコンテンツ再生システム。
【発明の詳細な説明】
【技術分野】
【０００１】
本発明は、コンテンツ再生処理装置およびコンテンツ再生システムに関し、特に災害情報や速報ニュース等の速報情報を含まないコンテンツの再生中であっても速報情報をユーザーに提供するための技術に関する。
【背景技術】
【０００２】
従来からテレビジョン放送では、災害情報や速報ニュース等の速報情報が、放送の映像および／または音声に重畳される場合がある。例えば地上デジタルテレビジョン放送等では、放送局が、速報情報のＴＳ（トランスポートストリーム）パケットを、放送の映像および／または音声のＴＳパケットとは別個に生成し、放送のＴＳパケットとともに多重化して送出する方式がある。より具体的には、速報情報は、文字スーパーのデータとして所定の方式で符号化され、ＴＳパケットに分割され、放送のＴＳパケットとともに送出される。また、速報情報を、テロップとして放送映像に重畳することにより、放送映像のＴＳパケットとして送出する方式もある。
【０００３】
ところで、近年、ネットワーク回線の普及や、ネットワーク機能を有するデジタル放送再生端末の普及によって、例えばインターネットを利用したＶＯＤ（ビデオオンデマンド）の動画配信サービスが数多く提供されている。このような動画配信サービスでは、ＴＳ形式のデータとして符号化されたコンテンツデータが配信サーバーに格納されている。ＴＳ形式のデータでは、映像および／または音声は所定の符号化方式で符号化された後にＴＳパケットに分割され、これらのＴＳパケットが再生順等に従って多重化されている。
【先行技術文献】
【特許文献】
【０００４】
【特許文献１】特開２００９−２９０７９４号公報
【発明の概要】
【発明が解決しようとする課題】
【０００５】
上記のインターネットを利用したＶＯＤサービスでは、災害情報や速報ニュース等の速報情報を急遽挿入する運用が必ずしもなされていないのが現状である。
【０００６】
ＶＯＤサービスにおいて速報情報を挿入するための技術が、例えば特許文献１に紹介されている。この技術では、表示すべき文字情報が無い場合でも、例えばＮＵＬＬデータ等で構成される字幕パケット（透明字幕パケット）を予めＴＳデータ内に多重化しておく。そして、急遽、新規の字幕データを挿入表示する場合、その新規字幕データのパケットを、上記の予め用意されていた透明字幕パケットに上書きする。この上書きされたＴＳデータを配信することによって、ＶＯＤサービスでも速報情報が表示される。
【０００７】
しかし、この技術によれば、透明字幕パケットの生成および上書きのための処理を、配信する全てのコンテンツに対して行う必要がある。このため、コンテンツ配信サーバーを増強しなければならない状況が生じうる。大規模なサーバーの利用または保有はＶＯＤサービス提供者にとって負担である。他方、ＶＯＤサービス利用中に速報情報が提供されないのは、ユーザーにとって利便性が低い。
【０００８】
なお、ＶＯＤサービスに限らず、コンテンツの再生中に速報情報が提供されない状況は種々存在する。
【０００９】
本発明は、災害情報や速報ニュース等の速報情報を含まないコンテンツの再生中であっても速報情報をユーザーに提供可能なコンテンツ再生処理装置およびコンテンツ再生システムを得ることを目的とする。
【課題を解決するための手段】
【００１０】
本発明の一態様によれば、再生対象のコンテンツをコンテンツ源から取得し、取得した前記コンテンツを再生して主コンテンツとして出力する主コンテンツ処理手段と、前記再生対象コンテンツに含まれない速報情報を含んだ速報供給データを速報情報源から取得し、取得した前記速報供給データから前記速報情報を所定の抽出処理によって抽出し、抽出した前記速報情報を速報コンテンツとして出力する速報情報処理手段と、前記速報情報処理手段から前記速報コンテンツが入力された場合には前記速報コンテンツを前記主コンテンツに合成し、得られた合成コンテンツを出力する一方で、前記速報コンテンツが入力されていない場合には前記主コンテンツを出力する合成手段と、を含むコンテンツ再生処理装置が提供される。
【発明の効果】
【００１１】
上記の一態様によれば、コンテンツ再生処理装置は、速報情報を取得して速報コンテンツとして出力する速報情報処理手段と、速報コンテンツを再生中の主コンテンツに合成する合成手段とを有している。このため、速報情報を含まないコンテンツの再生中であっても速報情報をユーザーに提供することができる。
【００１２】
本発明の目的、特徴、局面、および利点は、以下の詳細な説明と添付図面とによって、より明白となる。
【図面の簡単な説明】
【００１３】
【図１】実施の形態１に係るコンテンツ再生システムを例示するブロック図である。
【図２】速報供給データの構成を例示する概念図である。
【図３】速報供給データの他の構成を例示する概念図である。
【図４】表示領域分割合成を例示する模式図である。
【図５】実施の形態３に係るコンテンツ再生処理装置を例示するブロック図である。
【図６】実施の形態４に係るコンテンツ再生処理装置を例示するブロック図である。
【発明を実施するための形態】
【００１４】
＜実施の形態１＞
図１に実施の形態１に係るコンテンツ再生システム（以下、再生システムとも称する）１０のブロック図を例示する。図１の例では再生システム１０は、コンテンツ再生処理装置（以下、再生処理装置とも称する）２０と、コンテンツ出力装置（以下、出力装置とも称する）３０とを含んでいる。なお、図１では符号２０について「コンテンツ再生処理装置」を「コンテンツ再生処理」と表記しており、同様の表記手法を他の要素および他の図面についても用いる場合がある。
【００１５】
図１には、説明のため、再生システム１０で再生するコンテンツ（より詳細にはコンテンツのデータ）１０２の供給源であるコンテンツ源１００と、災害情報や緊急ニュース等の速報情報を含んだデータ１３２の供給源である速報情報源１３０も図示している。なお、速報情報源１３０から供給される速報情報を含んだ上記データ１３２を、速報供給データ１３２とも称することにする。特にコンテンツ源１００から配信されるコンテンツ１０２は、速報情報を含まないものとする。
【００１６】
以下では、説明のため、次のような例を挙げる。但し、本発明はこの例に限定されるものではなく、後述の更なる例を含めて種々の実施の形態が想定され得る。
【００１７】
まず、コンテンツ再生システム１０が、インターネット経由のＶＯＤ（ビデオオンデマンド）サービスを利用可能に構成されている場合を例示する。
【００１８】
この例によれば、コンテンツ源１００はＶＯＤサービス提供者のコンテンツ配信サーバーに対応し、当該コンテンツ源１００はインターネット経由で再生システム１０に接続される。
【００１９】
また、ここでは、速報情報は、ＶＯＤサービス提供者がユーザー向けに提供するものとする。この例によれば、速報情報源１３０は、ＶＯＤサービス提供者によって予め準備され速報情報が登録されるサーバー（以下、速報情報専用サーバーとも称する）に対応し、当該速報情報源１３０はインターネット経由で再生システム１０に接続される。但し、速報供給データ１３２は配信コンテンツ１０２とは別の信号で伝達されるものとする。
【００２０】
なお、速報情報専用サーバーがＶＯＤサービス提供者とは別の事業者によって準備される場合にも、以下の説明は当てはまる。すなわち、速報情報源１３０とコンテンツ源１００とは別々の事業者によって準備されていても構わない。
【００２１】
なお、ここでの例によれば、コンテンツ源１００と速報情報源１３０の両方が再生システム１０の外部、従って再生処理装置２０の外部に設けられることになる。
【００２２】
また、再生システム１０がコンテンツ源１００から取得する再生対象コンテンツ１０２が、視覚的コンテンツと聴覚的コンテンツの両方を含む場合を例示する。但し、コンテンツ１０２は視覚的コンテンツと聴覚的コンテンツのいずれか一方のみで構成されていてもよい。
【００２３】
ここで、視覚的コンテンツとは再生システム１０のユーザーが視覚によって感知可能な形式で提供されるコンテンツであり、また、聴覚的コンテンツとは再生システム１０のユーザーが聴覚によって感知可能な形式で提供されるコンテンツである。視覚的コンテンツは例えば映像、画像、グラフィックの形式によって表現される。聴覚的コンテンツは音声（例えば人の声、音楽等）の形式によって表現される。聴覚的コンテンツは音声コンテンツと称してもよい。
【００２４】
なお、「映像」という用語は基本的に動画像に対して用い、「画像」という用語は基本的に静止画像に対して用い、「グラフィック」という用語は基本的に、再生システム１０によって作成された動画像または静止画像に対して用いるものとする。但し、これらの用語は一般的に厳密に区別されているわけではなく、このため以下の説明においてもこれらの用語は適宜、解釈されるべきである。例えば、動画像と静止画像をまとめて画像と称する場合もある。また、映像と画像とグラフィックのうちの２つまたは３つが合成された（「混在した」、「組み合わされた」等と表現してもよい）視覚的コンテンツに対しては、映像と画像とグラフィックのいずれの用語も用いることが可能である。なお、映像、画像、グラフィック等は文字を含んでいても構わない。
【００２５】
また以下の例では、速報供給データ１３２は、図２および図３の概念図に例示するように速報情報本体データ（以下、速報情報本体、速報情報等とも称する）１３４を含み、図３の概念図に例示するようにさらに付加的なデータ（以下、付加情報とも称する）１３６も含むことができるものとする。付加情報１３６として例えば、作成日時の情報や、制御情報が挙げられる（後に、さらに例示する）。なお、速報供給データ１３２は速報情報１３４および付加情報１３６以外の情報を含んでいても構わない。
【００２６】
また、速報情報本体１３４が視覚的コンテンツと聴覚的コンテンツの両方で提供される場合を例示する。但し、速報情報本体１３４は視覚的コンテンツと聴覚的コンテンツのいずれか一方のみで提供されてもよい。
【００２７】
＜コンテンツ再生システム１０＞
上記のように、図１に例示の再生システム１０は、コンテンツ再生処理装置２０と、コンテンツ出力装置３０とを含んでいる。
【００２８】
コンテンツ再生処理装置２０は、コンテンツ源１００から再生対象のコンテンツ１０２を取得し、当該コンテンツ１０２を再生して主コンテンツ１０４としてコンテンツ出力装置３０へ出力する。また、再生処理装置２０は、速報情報源１３０から速報情報データ１３２を取得した場合には、当該速報情報データ１３２に対応する速報コンテンツ１３８を上記の再生された主コンテンツ１０４に合成し、合成したコンテンツ１９０をコンテンツ出力装置３０へ出力する。
【００２９】
再生処理装置２０は、例えばハードウェアとソフトウェアの組み合わせによって実現可能である。例えば、再生対象コンテンツ１０２および速報供給データ１３２の取得は、インターネット接続のためのインターフェース（Ｉ／Ｆ）機器、インターネット通信を行うためのソフトウェアによって実現可能である。また、例えば、コンテンツ１０２の再生およびコンテンツの合成はソフトウェアによって実現可能である。なお、ソフトウェアによる処理の一部または全部をハードウェア（例えば処理内容を実行可能に構成された専用回路）によって実現することも可能である。
【００３０】
ソフトウェアによる処理は、例えば、マイクロプロセッサ（ＭＰＵ、ＣＰＵ、マイクロコンピュータとも称される）が所定のプログラムに記述された処理ステップ（換言すれば処理手順）を実行することによって、実現可能である。なお、マイクロプロセッサは例えばマルチプロセッサまたはマルチコアの構成を採用することも可能である。マイクロプロセッサが実行するプログラムは記憶装置に格納される。記憶装置は、当該プログラムを記憶する他に、各種データ等を記憶する。また、記憶装置は、プログラムを実行するための作業領域を提供する。記憶装置はＲＯＭ、ＲＡＭ、書き換え可能な不揮発性メモリ（ＥＰＲＯＭ等）、ハードディスク（ＨＤ）等の記憶手段で構成可能である。なお、複数の記憶手段が設けられる場合には、それらをまとめて記憶装置と称するものとする。
【００３１】
コンテンツ出力装置３０は、コンテンツ再生処理装置２０から主コンテンツ１０４または合成コンテンツ１９０を受け取り、受け取ったコンテンツをユーザーが視覚および聴覚で感知可能な形式で以て出力する。図１の例では、コンテンツ出力装置３０は、視覚的コンテンツの表示を行う視覚的出力手段３２と、聴覚的コンテンツの音声出力を行う聴覚的出力手段３４とを含んでいる。視覚的出力手段３２は、例えば液晶表示装置、プラズマディスプレイ装置等の表示装置によって構成される。聴覚的出力手段３４は、例えばスピーカー、ヘッドホン等の音声形成装置によって構成され、アンプ等の装置も適宜含んで構成される。
【００３２】
両出力手段３２，３４は１つの装置として構成されていてもよいし、別々の装置として構成されていてもよい。例えばいわゆるテレビジョン装置をコンテンツ出力装置３０に利用可能であり、この場合は両出力手段３２，３４が１つの装置であるテレビジョン装置によって提供される。また、例えば、音声出力機能を有さないモニターディスプレイ装置を視覚的出力手段３２に利用する場合には、聴覚的出力手段３４は別の装置として準備される。
【００３３】
ここで、コンテンツ再生処理装置２０は、ＶＯＤサービス用の専用端末装置として構成可能である。また、パーソナルコンピュータ（ＰＣ）によって、再生処理装置２０を構成することも可能である。また、再生処理装置２０はテレビジョン装置に内蔵されてもよい。また、再生処理装置２０は録画装置に内蔵されてもよい（換言すれば、当該再生処理装置２０に録画機能を内蔵してもよい）。
【００３４】
＜コンテンツ再生処理装置２０＞
図１に例示のコンテンツ再生処理装置２０は、主コンテンツ処理手段２００と、速報情報処理手段３００と、合成手段４００と、操作手段（図示略）とを含んでいる。
【００３５】
＜主コンテンツ処理手段２００＞
主コンテンツ処理手段２００は、再生対象のコンテンツ１０２をコンテンツ源１００から取得し、取得したコンテンツ１０２に対して所定の再生処理を行い、再生処理後のコンテンツ１０４を出力する。図１の例では、主コンテンツ処理手段２００は、コンテンツ取得手段２０２と、コンテンツ再生手段２０４とを含んでいる。
【００３６】
コンテンツ取得手段２０２は、インターネット通信を行う手段であり、コンテンツ源１００からインターネット経由で再生対象のコンテンツ１０２を受信する。ここでは、コンテンツ１０２が映像（換言すれば視覚的コンテンツ）と音声（換言すれば聴覚的コンテンツ）がＴＳ（トランスポートストリーム）多重されたデータ形式でコンテンツ源１００から送信される場合を例示する。但し、コンテンツ１０２の配信はＴＳ形式に限定されるものではない。
【００３７】
コンテンツ再生手段２０４は、受信したコンテンツ１０２に対して所定の再生処理を行う手段である。ここでは、コンテンツ１０２がＴＳ形式で送信されるのに対応して、コンテンツ再生手段２０４はＴＳ分離手段２０６と、映像復号手段２０８と、音声復号手段２１０とを含んでいる。
【００３８】
ＴＳ分離手段２０６は、ＴＳ形式の受信データから映像のＴＳパケットと音声のＴＳパケットを分離する。映像パケットは映像復号手段２０８によって復号され、復号されたデータは映像コンテンツ（以下、主映像コンテンツとも称する）１０６として出力される。音声パケットは音声復号手段２１０によって復号され、復号されたデータは音声コンテンツ（以下、主音声コンテンツとも称する）１０８として出力される。
【００３９】
主映像コンテンツ１０４と主音声コンテンツ１０６は、主コンテンツ１０４として主コンテンツ処理手段２００から出力され、合成手段４００へ入力される。
【００４０】
＜速報情報処理手段３００＞
速報情報処理手段３００は、速報情報源１３０から速報供給データ１３２を取得し、取得した速報供給データ１３２から速報情報本体１３４を所定の抽出処理によって抽出し、抽出した速報情報本体１３４を速報コンテンツ１３８として出力する（図２および図３も参照）。図１の例では、速報情報処理手段３００は、速報供給データ取得手段３０２と、速報情報抽出手段３０４とを含んでいる。
【００４１】
速報供給データ取得手段３０２は、インターネット通信を行う手段であり、速報情報源１３０からインターネット経由で速報供給データ１３２を受信する。ここでは、速報供給データ１３２は速報情報源１３０から自動的に配信される場合を例示する。但しこの例に限定されるものではなく、例えば、速報情報抽出手段３０４が速報供給データ取得手段３０２を介して速報情報源１３０に定期的または不定期にアクセスし、速報供給データ１３２の存否を確認するようにしてもよい。
【００４２】
なお、図１の例では、速報供給データ取得手段３０２がコンテンツ取得手段２０２とは別個に設けられている。しかし上記のように両手段２０２，３０２は機能的に共通するので、両手段２０２，３０２を同じハードウェア等で実現しても構わない。その場合、インターネット通信を担う単一の構成が、コンテンツ取得手段２０２として機能するとともに、速報供給データ取得手段３０２としても機能する。
【００４３】
速報供給データ１３２は、例えばＸＭＬ（eXtensible Markup Language）のようなタグ言語によって構成される。但し、速報供給データ１３２は他のデータ形式で構成されても構わない。
【００４４】
タグ言語によれば、見出し、発生時刻、更新時刻、ジャンル、情報の概要、映像、音声、出力方法等のタグが設けられ、各タグに、対応する情報が記述される。この例によれば、見出し、発生時刻、更新時刻、ジャンル、情報の概要、映像、音声のタグの情報が速報情報本体１３４に対応する。なお、見出し、発生時刻、更新時刻、ジャンルおよび情報概要のうちの一部または全部を付加情報１３６（図３参照）として扱うことも可能である。出力方法タグの情報は、例えば速報コンテンツ１３８の出力時間、繰り返し回数等の制御情報であり、付加情報１３６に対応する。
【００４５】
取得した速報供給データ１３２は、速報情報抽出手段３０４によって処理される。すなわち、速報情報抽出手段３０４は、速報供給データ１３２を解析することによって（より具体的には当該データ１３２のタグを識別することによって）速報情報本体１３４を抽出し、抽出した速報情報本体１３４を速報コンテンツ１３８として出力する。
【００４６】
ここでは速報コンテンツ１３８が視覚的コンテンツ１４０と聴覚的コンテンツ１４２で構成される場合を例示するが、速報コンテンツ１３８が視覚的コンテンツ１４０と聴覚的コンテンツ１４２のいずれか一方のみで構成される場合をありうる。なお、以下、視覚的コンテンツ１４０を速報視覚的コンテンツ１４０とも称し、聴覚的コンテンツ１４２を速報聴覚的コンテンツ１４２とも称する。
【００４７】
速報情報抽出手段３０４は、具体的には、映像タグの情報（すなわち映像データ）を視覚的コンテンツ１４０として出力し、音声タグの情報（すなわち音声データ）を聴覚的コンテンツ１４２として出力する。また、見出し、発生時刻、更新時刻、ジャンルおよび情報概要のタグの情報が文字や画像で構成されている場合、速報情報抽出手段３０４はその文字および／または画像をグラフィックとして構築し、視覚的コンテンツ１４０として出力する。
【００４８】
視覚的コンテンツ１４０と聴覚的コンテンツ１４２は、速報コンテンツ１３８として速報情報処理手段３００から出力され、合成手段４００へ入力される。
【００４９】
ここでは、上記のように、速報供給データ１３２から映像とグラフィックの両方が得られ、その両方が視覚的コンテンツ１４０として速報情報処理手段３００から出力される場合を例示する。これに対し、映像とグラフィックの一方のみを出力するようにしても構わない。例えば映像による視覚的コンテンツ１４０を優先的に出力するという出力規則を予め設定しておき、当該出力規則に従って速報情報抽出手段３０４が処理を行えばよい。
【００５０】
また、速報情報抽出手段３０４による速報供給データ１３２の解析結果によっては、映像とグラフィックのうちの一方だけしか得られない場合がある。その場合は、映像とグラフィックを区別することなく、得られたものを速報視覚的コンテンツ１４０として出力すればよい。なお、映像とグラフィックのいずれも得られない場合、速報情報処理手段３００から速報視覚的コンテンツ１４０は出力されない。
【００５１】
ところで、速報供給データ１３２が付加情報１３６を含む場合（図３参照）、速報情報抽出手段３０４等は付加情報１３６の内容に応じた処理を行う。例えば、上記例のように付加情報１３６によって出力方法が指示されている場合、速報情報抽出手段３０４は、その出力方法に従って速報コンテンツ１３８を合成手段４００へ出力する。なお、速報供給データ１３２において出力方法の指示が無い場合、速報情報抽出手段３０４は、予め規定された出力方法で速報コンテンツ１３８を出力する。
【００５２】
また、例えば付加情報１３６によって合成方法が指示されている場合（換言すれば、合成方法を示すタグが設けられている場合）、速報情報抽出手段３０４がその付加情報１３６を合成手段４００へ転送し、合成手段４００が、指示された合成方法に従って合成処理を行うようにすることが可能である。
【００５３】
＜合成手段４００＞
合成手段４００は、主コンテンツ処理手段２００から出力される主コンテンツ１０４と、速報情報処理手段３００から出力される速報コンテンツ１３８とを、所定の合成処理に従って、あるいは、上記例のように速報供給データ１３２の付加情報１３６で指示された合成処理に従って合成する。そして、合成手段４００は、合成したコンテンツ１９０をコンテンツ出力装置３０へ出力する。ここで、合成手段４００は速報情報処理手段３００から速報コンテンツ１３８が入力された場合に当該合成処理を行う。これに対し、速報コンテンツ１３８が入力されていない場合、合成手段４００は主コンテンツ１０４をそのままコンテンツ出力装置３０へ出力する。
【００５４】
図１の例では、合成手段４００は、視覚的コンテンツ合成手段４０２と、聴覚的コンテンツ合成手段４０４とを含んでいる。
【００５５】
視覚的コンテンツ合成手段４０２は、主コンテンツ処理手段２００から出力される主映像コンテンツ１０６と、速報情報処理手段３００から出力される速報視覚的コンテンツ１４０とを合成することによって、合成視覚的コンテンツ１９２を生成する。なお、視覚的コンテンツ合成手段４０２は、速報視覚的コンテンツ１４０の入力が無い場合、主映像コンテンツ１０６をそのまま出力する。
【００５６】
聴覚的コンテンツ合成手段４０４は、主コンテンツ処理手段２００から出力される主音声コンテンツ１０８と、速報情報処理手段３００から出力される速報聴覚的コンテンツ１４２とを合成することによって、合成聴覚的コンテンツ１９４を生成する。すなわち、合成視覚的コンテンツ１９２と合成聴覚的コンテンツ１９４によって合成コンテンツ１９０が構成される。なお、聴覚的コンテンツ合成手段４０４は、速報聴覚的コンテンツ１４２の入力が無い場合、主音声コンテンツ１０８をそのまま出力する。
【００５７】
主映像コンテンツ１０６と速報視覚的コンテンツ１４０の合成手法として、両コンテンツ１０６，１４０を重畳する手法が例示される（オーバーレイ合成）。この場合、上側のレイヤーの透過率の設定によって、重畳具合を調整することが可能である。例えば速報視覚的コンテンツ１４０を上側レイヤーに設定した場合、上側の速報視覚的コンテンツ１４０の透過率が大きいほど下側の主映像コンテンツ１０６の表示が優先され、逆に上側の速報視覚的コンテンツ１４０の透過率が小さいほど当該速報視覚的コンテンツ１４０の表示が優先される。
【００５８】
また、主映像コンテンツ１０６と速報視覚的コンテンツ１４０の合成手法として、両コンテンツ１０６，１４０の表示領域を分割する手法が例示される（表示領域分割合成）。この合成手法による表示画面の一例を図４の模式図に示す。
【００５９】
また、速報視覚的コンテンツ１４０が映像とグラフィックの両方を含む場合、予め設定された選択規則やユーザーの切り替え指示等に従って映像とグラフィックのいずれかを選択し、選択されたコンテンツを主映像コンテンツ１０６に合成してもよい（選択合成）。
【００６０】
なお、主映像コンテンツ１０６と速報視覚的コンテンツ１４０は、他の手法によって合成しても構わないし、種々の手法の組み合わせによって合成しても構わない。
【００６１】
主音声コンテンツ１０８と速報聴覚的コンテンツ１４２の合成手法として、両コンテンツ１０８，１４２を重畳する手法が例示される（ミキシング合成）。この場合、ミキシング比率の設定によって、重畳具合を調整することが可能である。主音声コンテンツ１０８の比率が大きいほど当該コンテンツ１０８が感知されやすくなり、逆に速報聴覚的コンテンツ１４２の比率が大きいほど当該コンテンツ１４２が感知されやすくなる。
【００６２】
また、主音声コンテンツ１０８と速報聴覚的コンテンツ１４２の合成手法として、主音声コンテンツ１０８の途中に速報聴覚的コンテンツ１４２を割り込ませることによって、両コンテンツ１０８，１４２を時分割で重畳する手法が例示される（割り込み合成）。
【００６３】
また、聴覚的出力手段３４が複数のチャンネルを有する場合、主音声コンテンツ１０８と速報聴覚的コンテンツ１４２を別々のチャンネルに割り当てることによって両コンテンツ１０８，１４２を重畳する手法が例示される（チャンネル分割合成）。なお、複数のチャンネルは、例えば左スピーカー用および右スピーカー用であってもよいし、あるいは、例えば主音声コンテンツ１０８に割り当てられたスピーカー用および速報聴覚的コンテンツ１４２に割り当てられたスピーカー用であってもよい。
【００６４】
なお、主音声コンテンツ１０８と速報聴覚的コンテンツ１４２は、他の手法によって合成しても構わないし、種々の手法の組み合わせによって合成しても構わない。
【００６５】
＜操作手段＞
操作手段（図示略）は、コンテンツ再生処理装置２０とユーザーとを繋ぐマン・マシン・インターフェースである。操作手段を介して入力されたユーザー指示は再生処理装置２０での各種処理に供される。例えば、ユーザーが操作手段を操作して再生対象のコンテンツ１０２を指定することにより、その指示は主コンテンツ処理手段２００へ伝達されコンテンツ１０２のダウンロード処理に供される。操作手段は、リモートコントローラ、装置筐体に設けられる操作パネル、キーボード、マウス等によって実現可能である。なお、操作手段は再生処理装置２０とコンテンツ出力装置３０で共用しても構わない。
【００６６】
＜効果＞
上記例によれば、速報情報処理手段３００および合成手段４００が設けられているので、速報情報を含まないコンテンツ１０２の再生中であっても速報情報をユーザーに提供することができる。これにより利便性が向上する。
【００６７】
＜実施の形態１の変形例１＞
上記では、コンテンツ源１００が、インターネット経由で接続された、ＶＯＤサービス提供者のコンテンツ配信サーバーである場合を例示した。これに対し、コンテンツ源１００はＬＡＮ（Local Area Network）に接続されたコンテンツ配信サーバーであっても構わないし、コンテンツ源１００から取得する再生対象コンテンツ１０２はＶＯＤサービスのためのコンテンツでなくても構わない。
【００６８】
さらに、コンテンツ源１００はブルーレイディスク（商標）等の蓄積メディアであってもよい。また、再生対象コンテンツ１０２はテレビジョン放送を蓄積メディア（光ディスク、ハードディスク等）に録画したコンテンツであってもよい。
【００６９】
つまり、再生対象コンテンツ１０２は、その再生中に発生する速報情報をリアルタイムに含み得なければ、供給源、供給目的等に依存しない。
【００７０】
なお、コンテンツ源１００が各種の蓄積メディアである場合、例えば、コンテンツ取得手段２０２を蓄積メディアの読み取り機能を有した装置として構成可能である。あるいは、再生処理装置２０の外部に設けられた機器で蓄積メディアを再生する場合、コンテンツ取得手段２０２は当該外部再生機器と再生処理装置２０とのインターフェースとして構成される。
【００７１】
＜実施の形態１の変形例２＞
上記では速報コンテンツ１３８が視覚的コンテンツ１４０と聴覚的コンテンツ１４２の少なくとも一方を含む場合を例示した。これに対し、速報コンテンツ１３８が視覚的コンテンツ１４０を含まない規格を採用することも可能であり、そのような規格の場合は視覚的コンテンツ合成手段４０２を省略してもよい。この場合、主映像コンテンツ１０６がそのまま出力される。逆に、速報コンテンツ１３８が聴覚的コンテンツ１４２を含まない規格の場合、聴覚的コンテンツ合成手段４０４を省略してもよい。この場合、主音声コンテンツ１０８がそのまま出力される。
【００７２】
＜実施の形態１の変形例３＞
上記では再生対象コンテンツ１０２が視覚的コンテンツと聴覚的コンテンツの両方を含む場合を例示した。これに対し、主コンテンツ処理手段２００を、視覚的コンテンツを含まないコンテンツ１０２専用に変形することも可能である。逆に、主コンテンツ処理手段２００を、聴覚的コンテンツを含まないコンテンツ１０２専用に変形することも可能である。但し、これらの例の場合でも、速報情報処理手段３００、合成手段４００およびコンテンツ出力装置３０の構成は、上記変形例２に応じて構成される。
【００７３】
なお、例えば、主コンテンツ１０４が映像コンテンツ１０６のみで構成され、速報コンテンツ１３８が聴覚的コンテンツ１４２のみで構成される場合であっても、両コンテンツ１０４，１３８が合成されることによって合成コンテンツ１９０が生成される。すなわち、この例の場合、合成コンテンツ１９０は、主映像コンテンツ１０６で構成された合成視覚的コンテンツ１９２と、速報聴覚的コンテンツ１４２で構成された合成聴覚的コンテンツ１９４とを含む。
【００７４】
＜実施の形態２＞
実施の形態１では、速報情報源１３０がそれ専用のサーバー（速報情報専用サーバー）である場合を例示した。これに対し、速報情報源１３０として、インターネット上に公開された１つまたは複数のウェブサイトを利用することも可能である。この場合、例えば、速報情報抽出手段３０４は、速報供給データ取得手段３０２を介して公開ウェブサイトに定期的または不定期にアクセスし、速報供給データ１３２の存否を確認し、新しい速報供給データ１３２が在ればそれを取得する。ウェブサイトとのインターネット通信は例えばＨＴＴＰ（HyperText Transfer Protocol）によって行うことが可能であり、あるいは他のプロトコルを利用しても構わない。
【００７５】
また、速報情報源１３０として利用する１つまたは複数のウェブサイトは予め選定しておく例が挙げられる。この場合、選定したウェブサイトのインターネット上の所在は例えばコンテンツ再生処理装置２０内の不揮発性メモリ（図示略）に保存され、アクセス時に利用される。
【００７６】
あるいは、ウェブ検索ＡＰＩ（Application Program Interface）等の手法によって得られた検索結果に含まれている１つまたは複数のウェブサイトを、速報情報源１３０として利用する例が挙げられる。なお、ウェブ検索ＡＰＩによれば文字列（キーワード）だけでなく動画像や静止画像も検索可能である。
【００７７】
上記のように速報供給データ１３２の形式として、例えばＸＭＬのようなタグ言語が例示される。特に速報情報に関連する地域（例えば、事件等が発生した地名、速報情報の発信国、等）が記述されるタグを設け、当該地域情報タグを速報供給データ１３２の解析に利用してもよい。すなわち、当該地域情報タグは、インターネット上から収集される全世界的な速報情報の中から、ユーザーに好適な情報を抽出するのに役立つ。
【００７８】
上記例によれば、実施の形態１と同様に、速報情報を含まないコンテンツ１０２の再生中であっても速報情報をユーザーに提供することができ、利便性が向上する。上記例は、特に速報情報専用サーバーが準備されない環境に好適である。
【００７９】
なお、実施の形態１，２を組み合わせてコンテンツ再生処理装置を構成することも可能である。
【００８０】
＜実施の形態３＞
実施の形態１，２では速報情報源１３０がインターネット上のサーバーまたはウェブサイトである場合を例示した。これに対し、実施の形態３では速報情報源１３０が放送事業者であり、当該放送事業者から速報情報を取得する場合を例示する。例えば、再生対象コンテンツ１０２に所定の放送事業者を予め関連付けておくことにより、当該放送事業者を速報情報源１３０として利用可能である。
【００８１】
より具体的には、コンテンツ源１００のコンテンツ１０２を、再生制御メタファイルを使って再生する例が挙げられる。再生制御メタファイルによれば、例えばコンテンツ１０２の配信事業者、制作事業者、権利主体等（以下、コンテンツ事業者と総称する）を特定するための情報（以下、コンテンツ事業者情報とも称する）用のタグを設けることが可能であり、そのタグにコンテンツ事業者情報を記述すればよい。これにより、再生対象コンテンツ１０２と所定のコンテンツ事業者とを関連付けることが可能である。さらに、コンテンツ事業者情報と、所定の放送事業者（例えば、地上デジタルテレビジョン放送の事業者、ＣＡＴＶ事業者等）を特定するための情報（以下、放送事業者情報とも称する）とを、予め関連付けておくことにより、コンテンツ事業者情報を介して再生対象コンテンツ１０２と所定の放送事業者とを間接的に関連付けることが可能である。なお、コンテンツ事業者と放送事業者との関連付けの情報は、ＶＯＤサービス提供者が提供してもよいし、他の事業者が提供してもよい。
【００８２】
あるいは、再生制御メタファイルに上記放送事業者情報を記述するためのタグを設けて、再生対象コンテンツ１０２と所定の放送事業者とを直接的に関連付けてもよい。
【００８３】
なお、再生対象コンテンツ１０２と、速報情報源１３０として利用する放送事業者との関連付けは、再生制御メタファイル以外の手法を採用しても構わない。
【００８４】
図５に実施の形態３に係るコンテンツ再生処理装置２０Ｂのブロック図を例示する。当該再生処理装置２０Ｂは上記再生処理装置２０（図１参照）において速報情報処理手段３００を速報情報処理手段３００Ｂに変更した構成を有している。再生処理装置２０Ｂのその他の部分は基本的に上記再生処理装置２０と同様に構成され、上記再生処理装置２０と同様に動作する。なお、再生処理装置２０Ｂは上記再生処理装置２０に代えてコンテンツ再生システム１０（図１参照）に適用可能である。
【００８５】
実施の形態３に係る速報情報処理手段３００Ｂは、速報供給データ取得手段３０２Ｂと、速報情報抽出手段３０４Ｂとを含んでいる。
【００８６】
速報供給データ取得手段３０２Ｂは、放送事業者から速報供給データ１３２を取得するための手段であり、例えば地上デジタルテレビジョンの放送波（換言すれば放送信号）を受信するためのフロントエンドモジュールに対応する。なお、例えば速報情報源１３０がＣＡＴＶ事業者である場合、速報供給データ取得手段３０２ＢはＣＡＴＶの放送信号に合わせて構成される。
【００８７】
速報情報抽出手段３０４Ｂは、再生対象コンテンツ１０２に関連付けられた放送事業者を特定するとともに、特定された放送事業者による放送を、速報供給データ取得手段３０２Ｂを介して取得し、取得した放送から速報情報を抽出する。つまり、受信放送を速報供給データ１３２として利用する。
【００８８】
速報情報抽出手段３０４Ｂは、図５の例では、放送事業者特定手段３１０と、放送ＴＳ分離手段３１２と、映像処理手段３１４と、音声処理手段３１６と、文字スーパー処理手段３１８とを含んでいる。
【００８９】
放送事業者特定手段３１０は、例えば、主コンテンツ処理手段２００から（実施の形態１の例によればコンテンツ取得手段２０２またはコンテンツ再生手段２０４から）上記コンテンツ事業者情報１１０を取得し、取得したコンテンツ事業者情報１１０から、再生対象コンテンツ１０２に関連付けられた所定の放送事業者を特定する。
【００９０】
なお、コンテンツ事業者と放送事業者との関連付けの情報は、再生処理装置２０Ｂ内に予めダウンロードしておいてもよいし、あるいは、放送事業者特定手段３１０が、必要時にその都度、コンテンツ取得手段２０２を介して取得するようにしてもよい。
【００９１】
あるいは、放送事業者特定手段３１０が主コンテンツ処理手段２００から上記放送事業者情報１１２自体を取得するように構成することも可能である。
【００９２】
再生対象コンテンツ１０２に関連付けられた放送事業者が特定されると、放送事業者特定手段３１０は、速報供給データ取得手段３０２Ｂによる受信チャンネルを、特定された放送事業者に選局する。これにより、速報供給データ取得手段３０２Ｂは、特定された放送事業者の放送を受信可能になる。受信した放送信号は復調、エラー訂正等の処理が施されて、放送ＴＳ分離手段３１２へ伝達される。
【００９３】
放送ＴＳ分離手段３１２は、ＴＳ形式の放送信号から映像のＴＳパケットと音声のＴＳパケットを分離する。ここでは放送信号が文字スーパー用のパケットも含むものとし、文字スーパー用のＴＳパケットも放送ＴＳ分離手段３１２において分離される。
【００９４】
映像処理手段３１４は、分離された映像パケットを復号し、復号した映像中から速報情報を抽出し、抽出した速報情報を速報視覚的コンテンツ１４０として合成手段４００へ出力する。
【００９５】
音声処理手段３１６は、分離された音声パケットを復号し、復号した音声中から速報情報を抽出し、抽出した速報情報を速報聴覚的コンテンツ１４２として合成手段４００へ出力する。
【００９６】
文字スーパー処理手段３１８は、分離された文字スーパーパケットを復号し、復号したデータ中から速報情報を抽出し、抽出した速報情報を速報視覚的コンテンツ１４０として合成手段４００へ出力する。
【００９７】
なお、速報情報は映像、音声および文字スーパーの全てから得られる場合もあるし、これらのうちの一部だけから速報情報が得られる場合もある。また、これらのうちのいずれからも速報情報が得られない場合もある（例えば、速報情報が元々含まれていない場合）。
【００９８】
以下では、まず文字スーパー処理手段３１８での処理を、より具体的に例示する。受信した文字スーパーのデータは、表示すべき文字列のデータの他に、付加情報（例えば、表示位置、表示タイミング、内蔵音の再生等についての指示情報）を含んでいる場合がある。この場合、文字スーパー処理手段３１８は、受信データのデータ構造（予め規定されている）を解析することによって表示文字列のデータを抽出し、抽出した文字列をグラフィックとして構築し、生成したグラフィックを速報視覚的コンテンツ１４０として出力する。
【００９９】
この際、例えば、受信した文字列が速報情報に特徴的な文字列（「速報」、「地震」、「災害」、「津波」等）を含んでいるか否かを文字検索によって判別し、そのような特徴的な文字列を含んでいる部分を速報情報として抽出してもよい。
【０１００】
また、付加情報に表示タイミングの指示情報が含まれている場合、文字スーパー処理手段３１８はその表示タイミング指示に合わせて速報視覚的コンテンツ１４０を出力する。
【０１０１】
次に、映像処理手段３１４での処理を、より具体的に例示する。特に受信映像に速報情報がテロップとして重畳されている場合、そのようなテロップの存在を解析することによって速報情報の抽出が可能である。例えば光学文字認識等の解析手法によれば、映像中の文字列を抽出可能である。映像処理手段３１４は、抽出した文字列をグラフィックとして構築し、生成したグラフィックを速報視覚的コンテンツ１４０として出力する。
【０１０２】
この際、例えば、抽出した文字列が速報情報に特徴的な文字列（「速報」、「地震」、「災害」、「津波」等）を含んでいるか否かを文字検索によって判別し、そのような特徴的な文字列を含んでいる部分を速報情報として抽出してもよい。
【０１０３】
また、速報情報のテロップは例えば画面上側に表示されることが多いので、その部分に表示される文字列を速報情報として抽出してもよい。
【０１０４】
次に、音声処理手段３１６での処理を、より具体的に例示する。特に受信音声に速報情報が含まれている場合、音声出力の冒頭に速報情報に特徴的な音声（チャイム音、アラーム音等）を含み、しかもそのよう特徴的な音声は定型化されていることが多い。このため、そのような特徴的な定型音声を受信音声中から検出することによって速報情報の抽出が可能である。特徴的な定型音声の検出は、例えば、当該定型音声のデータをコンテンツ再生処理装置２０Ｂに予め与えておき、当該定型音声データと受信音声データとを比較する解析手法によって、行うことが可能である。
【０１０５】
音声処理手段３１６は、例えば特徴的な定型音声の検出位置から所定の時間長さ分の音声を速報情報として抽出し、抽出した速報情報を速報聴覚コンテンツ１４２として出力する。
【０１０６】
なお、当該３つの処理手段３１４，３１６，３１８のうちの２つまたは３つが互いの処理結果等を参照することによって、受信放送における速報情報の挿入部分をより確実に特定することができる。
【０１０７】
上記例によれば、実施の形態１と同様に、速報情報を含まないコンテンツ１０２の再生中であっても速報情報をユーザーに提供することができ、利便性が向上する。特に地上デジタルテレビジョン放送の例によれば、文字スーパー、テロップおよび音声という多彩な情報源を利用して速報情報の抽出処理を行うことが可能であるので、速報情報をより確実に提供することができる。
【０１０８】
なお、実施の形態１〜３を種々に組み合わせてコンテンツ再生処理装置を構成することも可能である。
【０１０９】
＜実施の形態３の変形例１＞
上記では、再生対象コンテンツ１０２をインターネット経由で取得する場合を例示した。これに対し、ＬＡＮに接続されたコンテンツ配信サーバーから再生対象コンテンツ１０２を取得する場合、ＵＰｎＰ（Universal Plug and Play）等のプロトコルを使ってコンテンツ配信サーバーから、再生中のコンテンツに関連する放送事業者情報１１２をメタファイル等の形式によって取得する変形例が挙げられる。
【０１１０】
また、ＨＤＭＩ（High-Definition Multimedia Interface）等によって接続された外部機器から再生対象コンテンツ１０２を取得する場合、ＣＥＣ（Consumer Electronics Control）等のコマンドによって、再生中のコンテンツに関連する放送事業者情報１１２を取得する変形例が挙げられる。
【０１１１】
また、テレビジョン放送等を録画したコンテンツを再生対象コンテンツ１０２とする場合、録画手段が録画の際に、その放送事業者についての放送事業者情報１１２を、録画コンテンツとともにあるいは録画コンテンツとは別に記録しておく変形例が挙げられる。
【０１１２】
＜実施の形態４＞
図６に実施の形態４に係るコンテンツ再生処理装置２０Ｃのブロック図を例示する。当該再生処理装置２０Ｃは上記再生処理装置２０（図１参照）に音声追加手段６００を追加した構成を有している。なお、再生処理装置２０Ｃは上記再生処理装置２０に代えてコンテンツ再生システム１０（図１参照）に適用可能である。
【０１１３】
音声追加手段６００は、再生処理装置２０Ｃが速報情報を出力していることをユーザーに通知するための音声コンテンツ（換言すれば聴覚的コンテンツ）を生成する手段である。より具体的には、音声再生手段６００は、速報情報処理手段３００による速報コンテンツ１３８の出力を通知する情報（速報コンテンツ出力通知情報とも称する）１５０を速報情報処理手段３００から取得し、取得した速報コンテンツ出力通知情報１５０に基づいて追加音声コンテンツ１７０を合成手段４００へ出力する。
【０１１４】
音声追加手段６００は、図６の例では、音声合成手段６０２と、内蔵音声供給手段６０４とを含んでいる。なお、これら２つの手段６０２，６０４のうちの一方を省略することも可能である。
【０１１５】
音声合成手段６０２は、速報情報処理手段３００から出力される速報コンテンツ１３８に含まれる文字列を音声コンテンツに変換する。より具体的には、音声合成手段６０２は、速報情報抽出手段３０４が速報視覚的コンテンツ１４０を生成する際に得られた、速報情報に関する文字列のデータを、当該速報情報抽出手段３０４から取得し、取得した文字列を例えばテキスト読み上げ技術等を利用して合成音声のデータに変換する。
【０１１６】
この場合、速報視覚的コンテンツ１４０に含まれる文字列が速報情報抽出手段３０４から入力されることは、速報情報処理手段３００が速報コンテンツ１３８を出力することの通知として利用可能である。かかる点に鑑みると、速報コンテンツ出力通知情報１５０は上記文字列データによって構成可能である。
【０１１７】
また、音声合成手段６０２は、光学文字認識等の文字抽出技術をさらに利用することによって、速報情報抽出手段３０４から速報視覚的コンテンツ１４０として出力されるグラフィックまたはその元となった画像から、速報情報に関する文字列、すなわち音声化する文字列を抽出することも可能である。この場合、速報コンテンツ出力通知情報１５０は上記グラフィックまたはその元画像によって構成可能である。
【０１１８】
音声合成手段６０２によって生成された合成音声による音声コンテンツ１７２は聴覚的コンテンツ合成手段４０４へ入力される。
【０１１９】
内蔵音声供給手段６０４は、速報情報処理手段３００から速報コンテンツ１３８が出力されるのに合わせて、予め内蔵された（例えば不図示の不揮発性メモリに予め格納された）音声コンテンツ１７４を出力する。音声コンテンツ１７４は例えばチャイム音、アラーム音、人の声によるアナウンス等である。内蔵音声コンテンツは所定の処理が施された後に出力される場合もある。
【０１２０】
内蔵音声供給手段６０４は、速報情報処理手段３００による速報コンテンツ１３８の出力タイミングを、速報コンテンツ出力通知情報１５０の入力タイミングによって取得可能である。かかる点に鑑みると、内蔵音声供給手段６０４が利用する速報コンテンツ出力通知情報１５０はどのような情報で構成されていてもよい。このため、音声合成手段６０２が利用する速報コンテンツ出力通知情報１５０をそのまま内蔵音声供給手段６０４も利用可能である。すなわち、両手段６０２，６０４で同じ速報コンテンツ出力通知情報１５０を利用可能である。
【０１２１】
内蔵音声供給手段６０４から出力された内蔵音声による音声コンテンツ１７４は、聴覚的コンテンツ合成手段４０４へ入力される。
【０１２２】
聴覚的コンテンツ合成手段４０４は、入力された聴覚的コンテンツ、すなわち主音声コンテンツ１０８と、速報聴覚的コンテンツ１４２と、合成音声による音声コンテンツ１７２と、内蔵音声による音声コンテンツ１７４とを合成し、得られた合成聴覚的コンテンツ１９４を出力する。
【０１２３】
上記例によれば、実施の形態１と同様に、速報情報を含まないコンテンツ１０２の再生中であっても速報情報をユーザーに提供することができ、利便性が向上する。特に音声追加手段６００によって音声出力が追加されるので、速報情報を出力中であることをユーザーに通知することができる。例えば料理中である等の理由で画面を注視できない状況に好適であり、この点においても利便性が向上する。
【０１２４】
なお、実施の形態１〜４を種々に組み合わせてコンテンツ再生処理装置を構成することも可能である。
【０１２５】
本発明は詳細に説明されたが、上記した説明は、すべての局面において、例示であって、本発明がそれに限定されるものではない。例示されていない無数の変形例が、本発明の範囲から外れることなく想定され得るものと解される。
【符号の説明】
【０１２６】
１０  コンテンツ再生システム、２０，２０Ｂ，２０Ｃ  コンテンツ再生処理装置、３０  コンテンツ出力装置、１００  コンテンツ源、１０２  再生対象コンテンツ、１０４  主コンテンツ、１１０  コンテンツ事業者情報、１１２  放送事業者情報、１３０  速報情報源、１３２  速報供給データ、１３４  速報情報（速報情報本体）、１３８  速報コンテンツ、１５０  速報コンテンツ出力通知情報、１７０  追加音声コンテンツ、１７２  合成音声による音声コンテンツ、１７４  内蔵音声による音声コンテンツ、１９０  合成コンテンツ、２００  主コンテンツ処理手段、３００，３００Ｂ  速報情報処理手段、３０２，３０２Ｂ  速報供給データ取得手段、３０４，３０４Ｂ  速報情報抽出手段、３１０  放送事業者特定手段、３１４  映像処理手段、３１６  音声処理手段、３１８  文字スーパー処理手段、４００  合成手段、６００  音声追加手段、６０２  音声合成手段、６０４  内蔵音声供給手段。
【図１】
2012244200.tif 000003
【図２】
2012244200.tif 000004
【図３】
2012244200.tif 000005
【図４】
2012244200.tif 000006
【図５】
2012244200.tif 000007
【図６】
2012244200.tif 000008